(57)【要約】【課題】管継手に連結された状態の樹脂パイプを切断することなく外すことができる使い勝手に優れた新規構造の差込式管継手及びこれに用いる管抜き用治具を提供すること。【解決手段】挿入される樹脂パイプ８５の外周面に密着するシールリング１０と、樹脂パイプ８５の外周面に係合して当該パイプの抜け止めを施すためのロックリング１２と、ロックリング１２のリング部１３の後面に先端部を当接させるカラー１６と、カラー１６の内部で中心方向に移動可能とされた可動リング２１とを内装した継手本体２と、開口部３に螺合されてカラー１６を固定するナット２５を備え、ロックリング１２に、リング部１３の内周から前方側へ傾斜して延びるバネ弾力を有する複数の突片１４を設けた。【選択図】図２
2015081624.tif 000002
【特許請求の範囲】
【請求項１】
開口部から挿入される樹脂パイプの外周面に密着するシールリングと、その樹脂パイプの外周面に係合して当該パイプの抜け止めを施すためのロックリングと、そのロックリングのリング部の後面に先端部を当接させるカラーと、そのカラーの内部で中心方向に移動可能とされた可動リングとを内装した継手本体と、
前記開口部に螺合されて前記カラーを固定するナットを備え、
前記ロックリングには、前記リング部の内周から前方側へ傾斜して延びるバネ弾力を有する複数の突片を設け、
前記可動リングが外力によって押し込まれた場合に、その可動リングの先端部が前記ロックリングの突片を押圧して当該突片を外方に開くことにより前記係合を解除して前記樹脂パイプの引き抜きを許容するように構成したことを特徴とする差込式管継手。
【請求項２】
前記樹脂パイプの外周面と、前記ナット及びカラーの内周面との隙間に挿入可能な大きさに形成された断面Ｃ字形の弾力性を有する筒部の後端にフランジを設け、その筒部を拡げて前記樹脂パイプの外周面に装着可能に設けられ、前記樹脂パイプに前記筒部を装着した状態にて当該筒部の先端を押し込むことにより前記ロックリングによる係合が解除されて前記樹脂パイプの引き抜きを許容するように設けられたことを特徴とする差込式管継手に用いる管抜き用治具。
【請求項３】
前記管抜き用治具の筒部の先端側に複数の突き当て片を設け、他方、前記カラーの内周面に該突き当て片に対応する複数の差込溝を中心方向に形成し、それら差込溝に挿入される各々の突き当て片により前記可動リングを押圧可能に設けられたことを特徴とする請求項２に記載の差込式管継手に用いる管抜き用治具。
【請求項４】
前記ナットにキャップを取り付けることを特徴とする請求項１に記載の差込式管継手。
【発明の詳細な説明】
【技術分野】
【０００１】
本発明は、給水、給湯などに用いられるポリエチレン管などの樹脂パイプをワンタッチで接続可能な差込式管継手及びこれに用いる管抜き用治具に関する。
【背景技術】
【０００２】
従来の差込式管継手として、本件出願人に係るものを図６に示す。図に示すように、両側に開口部７２を有するソケット形継手本体７１の内周溝にＯリング７５を夫々装着し、座板７７と、外面をテーパー形とし内面に複数の鋭い突条７９を周方向に並設すると共にスリット（図示せず）を中心方向に設けたロックリング７８が一体状に組み込まれたナット８１を、各々の開口部７２に螺着するように構成されている。この管継手７０において、継手本体７１の一方の開口部７２から奥方の内向きフランジ７３に突き当たるまで樹脂パイプ８５を挿入し、ついで、テーパー穴８２が形成された前記ナット８１を締め付けることにより、そのテーパー穴８２に外面を接触するロックリング７８が縮径して前記突条７９が樹脂パイプ８５の外周面に少しだけ食い込む。これにより、樹脂パイプ８５が管継手７０に連結された状態となる。そして、その連結された状態において、樹脂パイプ８５を引き抜く外力が作用した場合には、ロックリング７８による食い込みが深くなるため樹脂パイプ８５を引き抜くことが阻止される。なお、他方の開口部７２についても、同様の手順によりに樹脂パイプ８５を連結することができる。
【０００３】
ところで、前記差込式管継手７０に連結された仮設状態にある樹脂パイプ８５を取り外す場合には、ナット８１を緩めて継手本体７１から外してもナット８１はロックリング７８による食い込み作用が生ずるので前方（図７に示すｘ方向）へは抜けない。そのため、ナット８１を外した継手本体７１を左方へ少し移動させた状態において、樹脂パイプ８５を適宜箇所で切断することによりナット８１を後方（図７に示すｙ方向）へ移動させて当該樹脂パイプ８５から外さなければならなかった。
【０００４】
特許文献１には、継手部材と蓋部材からなる継手本体内に、シールリングとパイプ抜け止め用の２つのロックリングを装着し、継手本体に挿入された状態のパイプに引き抜き力が作用したとき、ロックリングの内周に突設された保持爪の両側部同士が互いに接触して傾斜角度を保持するように構成された差込式管継手が開示されている。
【０００５】
また、特許文献２には、受口部の内周に外方に向かって狭まり状のテーパー面が形成された継手本体内に、外径部が該テーパー面に内接し内径部が接続管の外周面に係合する抜止部材と、その抜止部材を保持するカラーと、その抜止部材をカラーごと前記テーパー面に向かって押圧付勢するコイルバネと、接続管の外周面に密着するシールリングを収容し、カラーの後端部をコイルバネの弾発力に抗して押し込むことにより接続管の抜き出しを可能とする差込式管継手に用いる管抜き用治具において、カラーを押圧する本体に当該カラーの一部にマークを付ける突起を設ける構成が開示されている。
【０００６】
特許文献１に開示された差込式管継手においては、冒頭で述べた従来の差込式管継手と同様に、配管済みの管継手に連結された状態にあるパイプを引き抜こうとすると、パイプを切断しなければならない。そして、蓋部材は、パイプを切断することによりパイプから外すことが可能となる。また、特許文献２に開示された差込式管継手では、差込式管継手によって抜止部材による係合が解除される構造を採用していることから、接続管を切断することなく抜き出しが可能である。しかし、新しい差込式管継手であっても管抜き用治具を使用することによりカラーに必ずマークが付けられるため、仮に連結されたパイプを外す場合には付与されたマークが恰も傷となってしまい再使用に不都合を生ずる、と言えよう。
【先行技術文献】
【特許文献】
【０００７】
【特許文献１】特許第４０４０４９０号公報
【特許文献２】特許第４９８９４０７号公報
【発明の概要】
【発明が解決しようとする課題】
【０００８】
本発明の目的は、管継手に連結された状態の樹脂パイプを切断することなく外すことができる使い勝手に優れた新規構造の差込式管継手及びこれに用いる管抜き用治具を提供することにある。
【課題を解決するための手段】
【０００９】
前記目的を達成するために請求項１に記載した発明の差込式管継手は、開口部から挿入される樹脂パイプの外周面に密着するシールリングと、その外周面に係合して当該パイプの抜け止めを施すためのロックリングと、そのロックリングのリング部の後面に先端部を当接させるカラーと、そのカラーの内部で中心方向に移動可能とされた可動リングとを内装した継手本体と、
前記開口部に螺合されて前記カラーを固定するナットを備え、
前記ロックリングには、前記リング部の内周から前方側へ傾斜して延びるバネ弾力を有する複数の突片を設け、
前記可動リングが外力によって押し込まれた場合に、その可動リングの先端部が前記ロックリングの突片を押圧して当該突片を外方に開くことにより前記係合を解除して前記樹脂パイプの引き抜きを許容するように構成したことを特徴とする。
【００１０】
同様の目的を達成するために請求項２に記載した発明の差込式管継手に用いる管抜き用治具は、前記樹脂パイプの外周面と、前記ナット及びカラーの内周面との隙間に挿入可能な大きさに形成された断面Ｃ字形の弾力性を有する筒部の後端にフランジを設け、その筒部を拡げて前記樹脂パイプの外周面に装着可能に設けられ、前記樹脂パイプに前記筒部を装着した状態にて当該筒部の先端を押し込むことにより前記ロックリングによる係合が解除されて前記樹脂パイプの引き抜きを許容するように設けられたことを特徴とする。
【００１１】
この管抜き用治具によれば、筒部を拡げて樹脂パイプに取付けた状態にて当該筒部の先端を管継手内に向けて強く押し込むことにより、可動リングの先端部がロックリングの突片を押圧して当該突片による樹脂パイプとの係合が解除されるので、樹脂パイプの引き抜きを容易に行うことができる。また、この治具を樹脂パイプから取り外すことにより、管継手に対する樹脂パイプの接続は再び可能となる。
【００１２】
同様の目的を達成するために請求項３に記載した発明は、請求項２に記載の差込式管継手に用いる管抜き用治具において、前記管抜き用治具の筒部の先端側に複数の突き当て片を設け、他方、前記カラーの内周面に該突き当て片に対応する複数の差込溝を中心方向に形成し、それら差込溝に挿入される各々の突き当て片により前記可動リングを押圧可能に設けられたことを特徴とするものである。
【００１３】
管抜き用治具の突き当て片が管継手のカラーの差込溝に案内されるので、可動リングを前方に移動させてロックリングの突片を押圧する動作を円滑に行なうことができる。
【００１４】
同様の目的を達成するために請求項４に記載した発明は、請求項１に記載の差込式管継手において、前記ナットにキャップを取り付けることを特徴とするものである。
【００１５】
キャップをナットの後端に取り付けることにより、現場での配管施工時に砂等の異物が管継手の内部へ侵入することを防止することができる。
【発明の効果】
【００１６】
（請求項１の発明）
この差込式管継手は、樹脂パイプの接続が容易に行えると共に接続後の樹脂パイプの引き抜きを阻止する機能を有することは勿論のこと、専用の管抜き用治具を用いることにより、接続された樹脂パイプを切断することなく容易に取り外すことができる。加えて、樹脂パイプを取り外す際に、管継手に傷のような痕跡を残さないので、試験的に樹脂パイプを接続しても管継手の再使用に支障を生じない。
【図面の簡単な説明】
【００１７】
【図１】本発明に係る差込式管継手に樹脂パイプを接続した状態を示す縦断正面図
【図２】同、要部の縦断正面図
【図３】本発明に係る差込式管継手の分離斜視図
【図４】本発明に係る管抜き用治具の斜視図
【図５】管抜き用治具を樹脂パイプに装着する状態を示す説明図
【図６】従来の差込式管継手の要部を示す縦断正面図
【図７】従来の差込式管継手に連結された樹脂パイプの取り外し手順を説明する参考図
【発明を実施するための形態】
【００１８】
以下に、本発明の最良の形態例を図面に基づいて説明する。
【００１９】
（差込式管継手について）
本発明に係る差込式管継手１は、図１に示すように、左右の両端に開口部３，３が形成された継手本体２の内部に、開口部３から挿入される樹脂パイプ８５の外周面に密着するシールリング１０と、樹脂パイプ８５の外周面に係合して当該パイプの抜け止めを施すためのロックリング１２と、ロックリング１２のリング部１３の後面に先端部を当接させるカラー１６と、カラー１６の内部に遊嵌された可動リング２１とを配置した概要構成とされている。
【００２０】
詳しくは、継手本体２は、青銅等の金属材料によりソケット形状に鋳造成形されていて、長手方向の中央内方に内向きのフランジ４が形成され、そのフランジ４から外方向に少し離れた位置に前記シールリング１０を装着するための環状溝５が設けられている。その環状溝５の溝径とほぼ同じ大きさの内径に形成された前記開口部３には、雌ネジ６が設けられている。
【００２１】
なお、継手本体２の外側中央部２ａは、スパナ等の工具によって把持することができるように多角形に設けられている。
【００２２】
シールリング１０については、弾力性を有するＯリング又はリング状パッキンの何れかが適用される。この実施例では、Ｏリングを使用している。１１は開口部３の奥底部３ｂに当接するように配置されるリング形状のスペーサーである。
【００２３】
図２、図３に示すように、ロックリング１２は、ステンレス製の厚さ０．５ｍｍ程度のの素板をプレス成形によって所定の形態に加工されてなり、リング部１３の内周１２ａから前方側へ約４０度の角度で傾斜して延びるバネ弾力を有する複数の、ここでは多数の突片１４を一体に設けている。
【００２４】
カラー１６は、先端側１６ａの外径寸法を後端側１６ｂのそれよりもやや大きくしたリング形状とされていて、先端側１６ａの内径を大きくした段付き穴１７が設けられている。図３に示すように、後端側１６ｂの段付き穴１７の内周面には、複数の、ここでは４つの差込溝１８が等間隔で中心方向に形成されている。これらの差込溝１８は、後記する管抜き用治具５１の突き当て片５３が遊嵌可能な大きさに設けられている。
【００２５】
可動リング２１は、先端部２２ａを鋭角形状に形成した頭部２２を備え、その先端部２２ａは前記ロックリング１２の突片１４の後方位置に対応する大きさに設けられている（図２）。そして、この可動リング２１は、前記カラー１６の段付き穴１７に収容されて中心方向（前後）に移動可能とされるように設けられている。
【００２６】
２５は前記継手本体２の雌ネジ６に螺合されて前記カラー１６を固定するためのナットである。このナット２５は、六角形の把持部２６の一端に該雌ネジ６に対応する雄ネジ２７が形成され、その把持部２６の他端に小径部２８が形成されている。その小径部２８の外周面には突条部２９が形成され、小径部２８の内面２８ａは、テーパー形状に形成されている。
【００２７】
なお、ナット２５の穴２５ａは、後記管抜き用治具５１の筒部５２を挿入可能な大きさに設けられている。また、カラー１６の段付き穴１７についても、同様の大きさに設けられている。
【００２８】
３１は前記ナット２５に取り付けるキャップである。このキャップ３１は、樹脂パイプ８５の外径寸法よりも少し大きく形成された中央穴３２を備え、周壁部３１ａの内面に前記ナット２５の突条部２９に対応する周溝３３が設けられている。キャップ３１は、差込式管継手１に樹脂パイプが接続された場合に外部の土、砂などが当該管継手１内へ入ることを防止するためのものである。
【００２９】
以上により、継手本体２の内部に、開口部３から挿入される樹脂パイプの外周面に密着するシールリング１０と、樹脂パイプの外周面に係合して当該パイプの抜け止めを施すためのロックリング１２と、ロックリング１２のリング部１３の後面に先端部を当接させるカラー１６と、カラー１６の内部に遊嵌された可動リング２１とを配置し、継手本体２の雌ネジ６にナット２５を螺合することによってカラー１６を固定し、ナット２５にキャップ３１を取り付けてなる本発明に係る差込式管継手１が構成される。
【００３０】
しかして、この差込式管継手１は、
キャップ３１の中央穴３２から差し込んで継手本体２のフランジ４に突き当たるまで挿入された樹脂パイプ８５を引抜く外力が作用した場合に、ロックリング１２の突片１４が当該樹脂パイプの外周面に係合することによって当該パイプの抜け止めを阻止し、
他方、可動リング２１が外力によって、即ち後記する管抜き用治具５１によって押し込まれた場合に、可動リング２１の先端部２２ａがロックリング１２の突片１４を押圧して当該突片１４を外方に開く力が作用することにより前記係合が解除されて樹脂パイプ８５の引き抜きを許容するように構成されている。
【００３１】
（管抜き用治具について）
本発明に係る差込式管継手に用いる管抜き用治具５１を図４に示す。この合成樹脂製の管抜き用治具５１は、断面Ｃ字形の弾力性を有する筒部５２の先端側に複数の、この実施例では４つの突き当て片５３を等角度間隔に設け、その筒部５２の後端に指を押し当てる大きさを有するフランジ５４を設けている。筒部５２は、樹脂パイプ８５の外周面と、差込式管継手１のナット２５の穴２５ａ及びカラー１６の段付き穴１７との隙間に挿入可能な大きさに設けられている。
【００３２】
上記突き当て片５３は、前記カラー１６の差込溝１８に挿入されることにより前記可動リング２１を押圧可能に設けられている。また、この管抜き用治具５１は、筒部５２を拡げることにより樹脂パイプ８５の外周面に容易に装着できるように設けられている。
【００３３】
つぎに、本発明に係る差込式管継手１の作用及び取り扱い方について述べる。
（１）管継手１に対する樹脂パイプの接続
図１に示すように、樹脂パイプ８５を差込式管継手１のキャップ３１から差し込んで継手本体２のフランジ４に突き当たるまで挿入することにより、この管継手１に対する接続が施される。しかして、かかる接続状態において樹脂パイプを引抜く外力が作用した場合には、ロックリング１２の突片１４が当該樹脂パイプ８５の外周面に食い込むように係合することによって当該パイプ８５の抜け止めが阻止される。
（２）管継手１に接続された樹脂パイプの取り外し
図５に示すように、差込式管継手１のナット２５からキャップ３１を外して後方へずらしてから、管抜き用治具５１を樹脂パイプ８５に装着する。ついで、管抜き用治具５１を押し込んで可動リング２１を押圧する。これにより、可動リング２１の先端部２２ａがロックリング１２の突片１４を押圧して当該突片１４を外方に開く力が作用するため、前記突片１４と樹脂パイプ８５との係合状態が解除されて樹脂パイプ８５の引き抜きが許容される。
【００３４】
以上の通り、この差込式管継手は、樹脂パイプの接続が容易に行えると共に接続後の樹脂パイプの引き抜きを阻止する機能を有する。そして、専用の管抜き用治具を用いることにより、接続された樹脂パイプを切断することなく容易に取り外すことができる。
【符号の説明】
【００３５】
１・・・本発明にかかる差込式管継手
２・・・継手本体
３・・・開口部
１０・・・シールリング
１２・・・ロックリング
１３・・・リング部
１４・・・突片
１６・・・カラー
１８・・・差込溝
２１・・・可動リング
２２ａ・・・先端部
２５・・・ナット
３１・・キャップ
５１・・・本発明に係る管抜き用治具
５２・・・筒部
５３・・・突き当て片
８５・・・樹脂パイプ
【図１】
2015081624.tif 000003
【図２】
2015081624.tif 000004
【図３】
2015081624.tif 000005
【図４】
2015081624.tif 000006
【図５】
2015081624.tif 000007
【図６】
2015081624.tif 000008
【図７】
2015081624.tif 000009